(57)【要約】【課題】輪ゴム等の結束材を用いなくても必要量にＰＴＰシート１及びＰＴＰシート片６だけで保持、脱着することができ、薬剤の調剤に要する時間、労力、コストを削減すること及び、端数のＰＴＰシート片６の有効利用、また患者の待ち時間の短縮が得られるＰＴＰ包装体を提供する。【解決手段】ＰＴＰシート１の収容ポケット４に凸部２及び凹部３を設けることで、これらが交互に組み合うことによりＰＴＰシート１同士及びＰＴＰシート１とＰＴＰシート片６、又ＰＴＰシート片６同士等が独自に保持脱着されるＰＴＰ包装体。【選択図】  図１
2004210401.tif 000002
【特許請求の範囲】
【請求項１】
任意の箇所に凸部２及び凹部３を設けた任意形の収容ポケット４が、一方向に沿って定間隔に平行に複数形成し配列されたＰＴＰシート１と、前記各収容ポケット４を密封するように前記ＰＴＰシート１の表面にラミネートされた蓋シート５からなり、前記ＰＴＰシート１に設けられた各収容ポケット４の凸部２及び凹部３が交互に組み合うことで任意数のＰＴＰシート１同士、ＰＴＰシート１とＰＴＰシート片６、又はＰＴＰシート片同士が互いに保持し合い、また脱着を可能に形成したことを特徴とするＰＴＰ包装体。
【請求項２】
収容ポケット４の下部周囲に凸部２、上部周囲に凹部３を形成したことを特徴とする請求項１に記載するＰＴＰ包装体。
【請求項３】
収容ポケット４の中央周囲に凸部２を形成したことを特徴とする請求項１に記載のＰＴＰ包装体。
【発明の詳細な説明】
【０００１】
【発明の属する技術分野】
本発明は、ＰＴＰ（Ｐｒｅｓｓ  Ｔｈｒｏｕｇｈ  Ｐａｃｋ）包装体（ＰＴＰシート）に関するもので、具体的にはＰＴＰシート１において、医薬品等の錠剤・カプセル剤等（以下「薬剤」という。）を収容する収容ポケット４の形態を変えることにより、ＰＴＰシート１同士、ＰＴＰシート１とＰＴＰシート片６、又はＰＴＰシート片６同士等を輪ゴムなどの結束材を用いなくてもそれだけで互いに保持し合い、また脱着を可能にしたＰＴＰシート１に関するものである。
【０００２】
【従来の技術】
従来、薬剤等を包装するための包装体としてＰＴＰシート１が使用されている。
このＰＴＰシート１は、上端が開口した複数の収容ポケット４内に薬剤等を充填し、破断可能な蓋シート５で開口部が形成された表面を全面密封することにより包装体を得るようになっている。
【０００３】
このＰＴＰシート１により、薬剤等を個々に密封包装することが可能で、ＰＴＰシート１の破断線７に応じて切り取ることにより、薬剤等を開封することなく、収容ポケット４を有する任意数のＰＴＰシート片６に分割することが出来る。
これにより薬局で調剤等を行う上で投与量を容易に調整出来るようになっていた。
【０００４】
また、一度に数種類の薬剤が調剤、投与される場合が多く、一枚の薬袋に数種類の薬剤が混在するため、各薬剤別に薬剤の投与量に応じて数枚のＰＴＰシート１や数片のＰＴＰシート片６を組み合わせて輪ゴム等の結束材を用いて１種類の薬剤単位毎に束ねる必要があった。
【０００５】
さらに、近年の分割したＰＴＰシート片６による誤飲、つまり投与されたＰＴＰシート１の収容ポケット４から薬剤を取り出さずにＰＴＰシート片６の状態のまま服用してしまい、消化管の損傷等を起こす問題が生じていた。
【０００６】
これらの問題を解決するために１製剤単位（ＰＴＰシート片６に収容ポケット４が１つの状態）に分割されていたＰＴＰシート片６が、素手では２製剤単位以上の複数の製剤単位のＰＴＰシート片６にしか分割できないように破断線７を形成されたＰＴＰシート１が提供されている。（例えば、特許文献１、特許文献２、非特許文献１参照。）
【０００７】
【特許文献１】
特開平１０−５９４１４号公報（第１図）
【特許文献２】
特開平１０−２７３１６２号公報（第２図）
【非特許文献１】
インターネット
＜ＵＲＬ＞ｈｔｔｐ：／／ｗｗｗ．ｄ−ｉｎｆ．ｏｒｇ／ｄｒｕｇ／ｐｔｐ．ｈｔｍｌｄ−ｉｎｆ  ｆｏｒ  ｙｏｕｒ  ｈｅａｌｔｈ
他では聞けないくすりのはなし「錠剤・カプセル剤のＰＴＰ包装変更」
【発明が解決しようとする課題】
【０００８】
しかし、このように形成されたＰＴＰシート１においても誤飲事故の報告があり、十分な効果は得られていない。
【０００９】
さらに、薬局等での調剤する場合において、前記のように薬剤の投与量に応じて１種類の薬剤について数枚のＰＴＰシート１や数片のＰＴＰシート片６を組み合わせて輪ゴム等の結束材を用いて１種類の薬剤単位に束ねて調剤・投与する場合が多い。
【００１０】
そして、投与量に応じて調剤する際にＰＴＰシート片６が複数の製剤単位でしか素手において分割することが出来ないため、１製剤単位のＰＴＰシート片６を要する調剤の場合は鋏等の切断具を用いなければＰＴＰシート１を必要な量のＰＴＰシート片６に切断することができない場合が生じた。
【００１１】
これにより、薬局内における調剤作業の効率の低下を招き、患者への薬剤投与・交付の遅延等を引き起こし、病院・調剤薬局等での患者の待ち時間の延長を起こす原因にもなっている。
本発明は、以上のような欠点をなくすためになされたものである。
【００１２】
【課題を解決するための手段】
これらの課題は以下の本発明により解決することが出来る。
本発明は、任意の箇所に凸部２及び凹部３を設けた任意形の収容ポケット４が、一方向に沿って定間隔に平行に複数形成し配列されたＰＴＰシート１と、前記各収容ポケット４を密封するように前記ＰＴＰシート１の表面にラミネートされた蓋シート５からなり、前記ＰＴＰシート１に設けられた各収容ポケット４の凸部２及び凹部３が交互に組み合うことで任意数のＰＴＰシート１同士、ＰＴＰシート１とＰＴＰシート片６、又はＰＴＰシート片同士が互いに保持し合い、また脱着を可能に形成したことを特徴とするＰＴＰ包装体である。
【００１３】
また、上記ＰＴＰシート１においての収容ポケット４の下部周囲に凸部２、上部周囲に凹部３を形成したことを特徴とするＰＴＰ包装体である。
【００１４】
さらに、収容ポケット４の中央周囲に凸部２を形成したことを特徴とするＰＴＰ包装体である。
【００１５】
【発明の実施の形態】
以下、本発明の実施例の図面を参照にしながら実施形態について説明する。
図１は本発明に係るＰＴＰシート１１の第１実施例を示す底面斜視図であり、図２は図１のＰＴＰシートをＡａ−Ａｂ線で切断した場合の断面図である。
【００１６】
また、図３は図１の第１実施例であるＰＴＰシート１１を２枚組み合わせた場合の側面図である。
【００１７】
この第１実施例のＰＴＰシート１１は、主にカプセル剤の薬剤等を収容するのに適したＰＴＰシート１１で、収容ポケット１４の下部周囲に凸部１２及び上部周囲に凹部１３を形成した収容ポケット１４（例えば図１、図２、図３に示すようにキノコ状に形成する）が２列に一方向に沿って定間隔に平行に配列されたＰＴＰシート１１と蓋シート１５から構成されている。
【００１８】
ただし、収容ポケット１４の形状は限定されず任意で、凸部１２及び凹部１３を形成することで、各ＰＴＰシート１１の収容ポケット１４に設けられた凸部１２及び凹部１３が交互に組み合うことにより互いの収容ポケット１４を保持し合い、ＰＴＰシート１１同士、ＰＴＰシート１１とＰＴＰシート片１６、ＰＴＰシート片１６同士等を互いに保持し合い、また脱着できるように構成されており、収容ポケット１４の配列も２列に限定されず、任意数の列を形成しても同様の作用・効果が得られる。
【００１９】
また、この実施例のＰＴＰシート１１によれば、例えば２枚のＰＴＰシート１１を相互に組み合わせ保持させる場合においては、図３に示すように各ＰＴＰシート１１の収容ポケット１４同士の凸部１２及び凹部１３が交互に組み合うことにより保持し合うことができ、これにより輪ゴム等の結束する結束材がなくても必要な量の薬剤を１種類の薬剤単位に束ねることができる。
【００２０】
さらに、薬剤の交付・投与後、患者管理の下においてもＰＴＰシート１１の脱着が容易で、服用期間中に端数になったＰＴＰシート片１６も容易に保持できるため、紛失することなく用法用量通り服用でき、患者自身の薬剤管理の負担も軽減される。
【００２１】
そして図４は、図１の第１実施例であるＰＴＰシート１１を２枚組み合わせた場合の平面図であり、図５は、図１の第１実施例であるＰＴＰシート１１とＰＴＰシート片１６を組み合わせた状態を示す平面図を示す。
【００２２】
また、保持方法及び組み合わせはこれに限らず、各ＰＴＰシート１１やＰＴＰシート片１６の収容ポケット１４が相互に組み合わせる状態を維持できる位置においては、いずれも保持、脱着が可能である。
【００２３】
図６は本発明に係るＰＴＰシート２１の第２実施例を示す底面斜視図であり、図７は図６のＰＴＰシート２１をＢａ−Ｂｂ線で切断した場合の断面図であり、図８は図６に示すＰＴＰシート２１の第２実施例であるＰＴＰシート２１を２枚組み合わせた場合の側面図である。
【００２４】
この第２実施例のＰＴＰシート２１は主にカプセル剤の薬剤等を収容するのに適したＰＴＰシート２１で、収容ポケット２４の中央周囲に凸部２２を形成した収容ポケット２４が２列に一方向に沿って定間隔に平行に配列されたＰＴＰシート２１と蓋シート２５から構成されている。
【００２５】
この実施例のＰＴＰシート２１によれば、例えば２枚のＰＴＰシート２１を相互に組み合わせ保持させる場合においては、図８に示すように各ＰＴＰシート２１の収容ポケット２４に中央周囲に形成された凸部２２同士が上下方向に交互に組み合うことにより各ＰＴＰシート２１を保持し合うことができ、第１実施例と同様の作用・効果が得られる。
【００２６】
図９は本発明に係るＰＴＰシート３１の第３実施例を示す底面斜視図であり、図１０は図９のＰＴＰシート３１をＣａ−Ｃｂ線で切断した場合の断面図である。
【００２７】
この第３実施例のＰＴＰシート３１は主に錠剤の薬剤等を収容するのに適したＰＴＰシート３１で、第１実施例と同様に収容ポケット３４の下部周囲に凸部３２及び上部周囲に凹部３３が形成した収容ポケット３４（例えば図９、図１０に示すようにキノコ状に形成する）が２列に一方向に沿って定間隔に平行に配列されたＰＴＰシート３１と蓋シート３５から構成されている。
【００２８】
この実施例のＰＴＰシート３１においても、第１実施例と同様の作用・効果が得られる。
【００２９】
ただし、前記いずれの実施例においても収容ポケット４の形状は限定されず、凸部２及び凹部３を形成することで、各収容ポケット４同士が交互に組み合うことで、ＰＴＰシート１及びＰＴＰシート片６がそれぞれ保持し合うようにしたものである。
【００３０】
【発明の効果】
以上のように、本発明によるＰＴＰシート１によると、調剤の作業効率を向上し、薬剤の調剤に要する時間、労力、コストを削減することができ、患者の薬の待ち時間、医療機関での待ち時間の短縮を実現することが可能となる。
【００３１】
また、薬剤の投与後の患者管理下においてもＰＴＰシート１の脱着が容易で、服用期間中に端数になったＰＴＰシート片６も容易に保持できるため紛失することがなく用法用量通りに服用でき、患者自身の薬剤管理の負担も軽減することが可能である。
【図面の簡単な説明】
【図１】本発明に係るＰＴＰシートの第１実施例を示す底面斜視図である。
【図２】本発明の図１の第１実施例であるＰＴＰシートをＡａ−Ａｂ線で切断した場合の断面図である。
【図３】本発明の図１の第１実施例であるＰＴＰシートを２枚組み合わせた場合の側面図である。
【図４】本発明の図１の第１実施例であるＰＴＰシートを２枚組み合わせた場合の平面図である。
【図５】本発明の図１の第１実施例であるＰＴＰシートとＰＴＰシート片を組み合わせた状態を示す平面図である。
【図６】本発明に係るＰＴＰシートの第２実施例を示す底面斜視図である。
【図７】本発明の図６の第２実施例であるＰＴＰシートをＢａ−Ｂｂ線で切断した場合の断面図である。
【図８】本発明の図６の第２実施例であるＰＴＰシートを２枚相互に組み合わせた場合の側面図である。
【図９】本発明に係るＰＴＰシートの第３実施例を示す底面斜視図である。
【図１０】本発明の図９の第３実施例であるＰＴＰシートをＣａ−Ｃｂ線で切断した場合の断面図である。
【符号の説明】
１  ＰＴＰシート（ＰＴＰ包装体）
２  凸部
３  凹部
４  収容ポケット
５  蓋シート
６  ＰＴＰシート片
７  破断線
１１  ＰＴＰシート（ＰＴＰ包装体）
１２  凸部
１３  凹部
１４  収容ポケット
１５  蓋シート
１６  ＰＴＰシート片
１７  破断線
２１  ＰＴＰシート（ＰＴＰ包装体）
２２  凸部
２４  収容ポケット
２５  蓋シート
２７  破断線
３１  ＰＴＰシート（ＰＴＰ包装体）
３２  凸部
３３  凹部
３４  収容ポケット
３５  蓋シート
３７  破断線
【図１】
2004210401.tif 000003
【図２】
2004210401.tif 000004
【図３】
2004210401.tif 000005
【図４】
2004210401.tif 000006
【図５】
2004210401.tif 000007
【図６】
2004210401.tif 000008
【図７】
2004210401.tif 000009
【図８】
2004210401.tif 000010
【図９】
2004210401.tif 000011
【図１０】
2004210401.tif 000012